(57)【要約】【課題】  バウンス撮影を実現できる照明装置の持ち運びの不便さを解消すること。【解決手段】  補助装置３は、カメラ１に対して着脱自在であるカメラ側着脱部３１と、フラッシュ２に対して着脱自在であるフラッシュ側着脱部３２と、カメラ側着脱部３１に対するフラッシュ側着脱部３２の姿勢を変える空洞部３１ｃ、球体３３、ロッド３４と、を備える。こうした構成により、補助装置３は、カメラ１及びフラッシュ２に対して着脱自在になる。また、補助装置３は、カメラ１に対してフラッシュ２を少なくとも揺動又は回動させる機能、すなわちカメラ１に対するフラッシュ２の姿勢を変えるバウンス機能を有する。補助装置３自体がバウンス機能を有すると、フラッシュ２にバウンス機構を設ける必要がなくなる。このため、フラッシュ２が高さ方向に大型化することもなくなり、長さをコンパクトにできるので、フラッシュ２の持ち運びが楽になる。【選択図】  図２
2011228045.tif 000002
【特許請求の範囲】
【請求項１】
撮影装置に対して着脱自在である撮影装置側着脱部と、
照明装置に対して着脱自在である照明装置側着脱部と、
前記撮影装置側着脱部に対する前記照明装置側着脱部の姿勢を変える照明姿勢調節機構と、を備えたこと
を特徴とする撮影用照明装置の補助装置。
【請求項２】
撮影装置の電気回路と照明装置の電気回路とを電気的に接続する通電部を備えたこと
を特徴とする請求項１に記載の撮影用照明装置の補助装置。
【請求項３】
前記通電部は、前記撮影装置側着脱部に形成されて撮影装置の電気回路の端末に接続される第１の端末と、前記照明装置側着脱部に形成されて照明装置の電気回路の端末に接続される第２の端末と、を有すること
を特徴とする請求項２に記載の撮影用照明装置の補助装置。
【請求項４】
前記照明姿勢調節機構は、前記照明装置側着脱部を、予め設定された複数の所定姿勢の何れかで停止させること
を特徴とする請求項１〜３の何れかに記載の撮影用照明装置の補助装置。
【請求項５】
前記照明姿勢調節機構は、前記撮影装置側着脱部に対して前記照明装置側着脱部を揺動自在にすること
を特徴とする請求項１〜４の何れかに記載の撮影用照明装置の補助装置。
【請求項６】
前記照明姿勢調節機構は、前記撮影装置側着脱部に対して前記照明装置側着脱部を回動自在にすること
を特徴とする請求項１〜４の何れかに記載の撮影用照明装置の補助装置。
【発明の詳細な説明】
【技術分野】
【０００１】
本発明は、撮影装置に取り付けられる照明装置のための補助装置に関し、照明装置の照射角度を自在に調節するバウンス機能を備えた補助装置に関する。
【背景技術】
【０００２】
写真撮影の際に、自然光で光量が足りない場合や、影を消したい場合や、明暗を調節したい場合など、には撮影用照明装置（本明細書では単に「照明装置」ともいう）、所謂フラッシュ、が用いられる。照明装置の光源としては主にキセノン放電管が用いられる。
【０００３】
照明装置を使用したライティング方法としては、照明装置の照射方向を被写体方向に向けて被写体を直接光で照明する方法と、照明装置の照射方向を被写体方向とは別の方向に向けて被写体外の反射面等の反射光で間接的に照明する方法（バウンス発光、バウンス撮影という）とがある。
【０００４】
カメラに内蔵される照明装置は、被写体の方向に直接向けて照射するようにカメラ本体に予め取り付けられる。このため、カメラに内蔵される照明装置を用いてバウンス撮影することは難しい。そもそも、カメラにおいては照明装置以外の構成部分の機能が優先され又カメラ本体のデザインの制約を受けることから、カメラに内蔵される照明装置は小型化されている。このため、カメラに内蔵される照明装置は光量が低く、バウンス撮影には向かない。
【０００５】
一方、カメラに外付けされる照明装置は形状や大きさが様々である。カメラに外付けされる様々な照明装置の中には、照射方向を機械的に調節するバウンス機構を備えるものもある。一般にバウンス撮影の際にはこうしたバウンス機構を備えた外付けの照明装置が用いられる。
【発明の概要】
【発明が解決しようとする課題】
【０００６】
照明装置はキセノン放電管の他に、キセノン放電管に電力を供給するための電池とコンデンサーを有する。照明装置で大きな光量を得るためにはキセノン放電管に瞬時に大電流を供給する必要があり、そのためには大容量のコンデンサーが必要である。また、コンデンサーを充電するスピード及び発光回数は電池とコンデンサーの容量の兼ね合いによって決定される。大容量のコンデンサーを急速充電するためには大容量の電池が必要である。大きな光量を短時間で発光するためには、大型のコンデンサーと電池が必要になる。
【０００７】
照明装置が大型のコンデンサーと電池に加えてバウンス機構を備えるとなると、照明装置自体の大型化は避けられない。特に照明装置が高さ方向に長くなる場合が多い。照明装置はケースに収納されて持ち運ばれるのであるが、照明装置が長くなるに伴いケースも長くなる。長いケースは持ち運びが不便である。
【０００８】
本発明はこうした実状に鑑みてなされたものであり、バウンス撮影を実現できる照明装置の持ち運びの不便さを解消することを目的とするものである。
【課題を解決するための手段】
【０００９】
第１発明は、
撮影装置に対して着脱自在である撮影装置側着脱部と、
照明装置に対して着脱自在である照明装置側着脱部と、
前記撮影装置側着脱部に対する前記照明装置側着脱部の姿勢を変える照明姿勢調節機構と、を備えたこと
を特徴とする。
【００１０】
第１発明を図１、図２を参照して説明する。  
補助装置３は、カメラ１（撮影装置）に対して着脱自在であるカメラ側着脱部３１（撮影装置側着脱部）と、フラッシュ２（照明装置）に対して着脱自在であるフラッシュ側着脱部３２（照明装置側着脱部）と、カメラ側着脱部３１に対するフラッシュ側着脱部３２の姿勢を変える空洞部３１ｃ、球体３３、ロッド３４（以上、照明姿勢調節機構）と、を備える。こうした構成により、補助装置３は、カメラ１及びフラッシュ２に対して着脱自在になる。また、補助装置３は、カメラ１に対してフラッシュ２を少なくとも揺動又は回動させる機能、すなわちカメラ１に対するフラッシュ２の姿勢を変えるバウンス機能を有する。
【００１１】
第１発明では、補助装置３自体がバウンス機構に相当する。このため、フラッシュ２にバウンス機構を設ける必要がなくなり、フラッシュ２が高さ方向に大型化することもなくなる。フラッシュ２の持ち運びの際にはケースにフラッシュ２を収納し、ケースの空スペースに補助装置を収納すれば良い。結果として、バウンス機構を備えたフラッシュ２のケースと比較して、ケース自体の長さをコンパクトにできるので、フラッシュ２の持ち運びが楽になる。
【００１２】
第２発明は、第１発明において、
撮影装置の電気回路と照明装置の電気回路とを電気的に接続する通電部を備えたこと
を特徴とする。
【００１３】
第２発明を図１、図２を参照して説明する。  
補助装置３は、カメラ１（撮影装置）の電気回路とフラッシュ２（照明装置）の電気回路とを電気的に接続する配線３７（通電部）を備える。こうした構成により、補助装置３は、カメラ１のシャッター操作に応じてカメラ１の電気回路に発生する発光トリガ信号をフラッシュ２の電気回路に送信する。
【００１４】
第３発明は、第２発明において、
前記通電部は、前記撮影装置側着脱部に形成されて撮影装置の電気回路の端末に接続される第１の端末と、前記照明装置側着脱部に形成されて照明装置の電気回路の端末に接続される第２の端末と、を有すること
を特徴とする。
【００１５】
第３発明を図１、図２を参照して説明する。  
補助装置３の配線３７は、カメラ側着脱部３１（撮影装置側着脱部）に形成されてカメラ１（撮影装置）の電気回路の端末に接続される端末３７ａ（第１の端末）と、フラッシュ側着脱部３２（照明装置側着脱部）に形成されてフラッシュ２（照明装置）の電気回路の端末に接続される端末３７ｂ（第２の端末）と、を有する。こうした構成により、カメラ１及びフラッシュ２への補助装置３の機械的な装着に応じて、カメラ１の電気回路とフラッシュの電気回路が配線３７を介して電気的に接続される。
【００１６】
第４発明は、第１〜第３発明において、
前記照明姿勢調節機構は、前記照明装置側着脱部を、予め設定された複数の所定姿勢の何れかで停止させること
を特徴とする。
【００１７】
第４発明を図４を参照して説明する。  
カメラ側着脱部５１の凹部５１ｄに設けられるバネ５８、ボール５９と球体５３の凹部５３ａは位置決め機構、所謂ディテント機構を形成する。ディテント機構（照明姿勢調節機構）は、フラッシュ側着脱部５２（照明装置側着脱部）を、予め設定された複数の所定姿勢の何れかで停止させる。ディテント機構によってフラッシュを特定の姿勢で保持することができる。
【００１８】
第５発明は、第１〜第４発明において、
前記照明姿勢調節機構は、前記撮影装置側着脱部に対して前記照明装置側着脱部を揺動自在にすること
を特徴とする。
【００１９】
第６発明は、第１〜第４発明において、
前記照明姿勢調節機構は、前記撮影装置側着脱部に対して前記照明装置側着脱部を回動自在にすること
を特徴とする。
【図面の簡単な説明】
【００２０】
【図１】（ａ）はフラッシュが補助装置を介してカメラに取り付けられた様子を示す正面図。（ｂ）はフラッシュが補助装置を介してカメラに取り付けられた様子を示す側面図。
【図２】（ａ）は補助装置の正面図。（ｂ）は補助装置の側面図。（ｃ）は（ｂ）のＡ−Ａ断面で補助装置を示す図。
【図３】（ａ）は補助装置の正面図。（ｂ）は補助装置の側面図。（ｃ）は（ａ）のＢ−Ｂ断面で補助装置を示す図。
【図４】（ａ）は補助装置の正面図。（ｂ）は（ａ）のＣ−Ｃ断面で補助装置を示す図。（ｃ）は（ｂ）のＤ−Ｄ断面で補助装置を示す図。
【発明を実施するための形態】
【００２１】
以下、本発明の実施形態を図面を参照して説明する。  
なお、各実施形態では撮影装置を写真撮影用のカメラとし、照明装置をフラッシュとして説明する。
【００２２】
図１（ａ）はフラッシュが補助装置を介してカメラに取り付けられた様子を示す正面図である。図１（ｂ）はフラッシュが補助装置を介してカメラに取り付けられた様子を示す側面図である。なお、本発明の補助装置は上下を特定するものではないが、本明細書中では説明の便宜上、フラッシュ側を上と定義し、カメラ側を下と定義する。
【００２３】
図１（ａ）、（ｂ）で示されるように、補助装置３はカメラ１とフラッシュ２との間に介在する。補助装置３は、カメラ１及びフラッシュ２に対して着脱自在であり、また、カメラ１に対してフラッシュ２を少なくとも前後方向に揺動させる機能又は左右方向に揺動させる機能又は回動させる機能、すなわちカメラ１に対するフラッシュ２の姿勢を変えるバウンス機能を有する。バウンス機能はどのような構造で実現しても構わない。以下、バウンス機能を実現する補助装置の構造の一例を、図２〜図４を参照して説明する。なお、図２〜図４は補助装置を模式化して示している。
【００２４】
［実施例１］
図２（ａ）〜（ｃ）は第１の実施形態に係る補助装置の構造を説明するための模式図である。図２（ａ）は補助装置の正面図であり、図２（ｂ）は補助装置の側面図であり、図２（ｃ）は図２（ｂ）のＡ−Ａ断面で補助装置を示す図である。  
第１の実施形態に係る補助装置３は、カメラ１とフラッシュに対して着脱自在であり、カメラ１に対してフラッシュ２を前後方向に傾斜する様に揺動可能にし且つ回動可能にするものである。
【００２５】
補助装置３は、大きくは、カメラ１に対して着脱自在であるカメラ側着脱部３１と、フラッシュ２に対して着脱自在であるフラッシュ側着脱部３２と、カメラ側着脱部３１に対するフラッシュ側着脱部３２の姿勢を変える照明姿勢調節機構３１ｃ、３３、３４と、を備える。
【００２６】
カメラ側着脱部３１は補助装置３の下部に配置される。カメラ側着脱部３１の下部にはカメラ１との連結部３１ａが形成され、上部には前後方向に伸長する切欠き３１ｂが形成され、内部には切欠き３１ｂに連通する球状の空洞３１ｃが形成される。連結部３１ａが図示しないカメラ１の連結部に嵌合されるかまたは螺合されることによって、カメラ側着脱部３１がカメラ１に装着される。
【００２７】
フラッシュ側着脱部３２は補助装置３の上部に配置される。フラッシュ側着脱部３２の上部にはフラッシュ２との連結部３２ａが形成され、下部にはロッド３４の上端が接続される。連結部３２ａが図示しないフラッシュ２の連結部に嵌合されるかまたは螺合されることによって、フラッシュ側着脱部３２がフラッシュ２に装着される。フラッシュ側着脱部３２は、カメラ側着脱部３１を基準にして前後方向に傾斜するように揺動可能であり、またロッド３４の軸を中心にして回動可能である。
【００２８】
球体３３はカメラ側着脱部３１の空洞３１ｃの内部に配置される。球体３３の上部にはロッド３４の下端が接続される。球体３３は、フラッシュ側着脱部３２が前後方向へ揺動するに応じて空洞３１ｃの内部で前後方向に回動する。また、球体３３は、フラッシュ側着脱部３２がロッド３４の軸を中心にして回動するに応じて空洞３１ｃの内部でフラッシュ側着脱部３２と同方向に回動する。
【００２９】
ロッド３４はカメラ側着脱部３１の切欠き３１ｂに挿通され、フラッシュ側着脱部３２と球体３３とを連結する。
【００３０】
ネジ３５はカメラ側着脱部３１の側面から空洞３１ｃに貫通する孔に螺入される。ネジ３５の頭部はカメラ側着脱部３１の外側に配置され、ネジ先はカメラ側着脱部３１の空洞３１ｃに配置される。ネジ３５のネジ先には当接部材３５ａが設けられ、当接部３５ａは球体３３に当接する。ネジ３５が締められるに応じて、当接部材３５ａは球体３３を空洞３１ｃの内壁面に押圧して固定する。また、ネジ３５が緩められるに応じて、当接部材３５ａは球体３３の固定を解除する。
【００３１】
なお、球体３３を中心にしたネジ３５の反対側に同じ様なネジ構造を設け、球体３３を２本のネジで相対する方向から締め付けて固定するようにしても良い。
【００３２】
カメラ側着脱部３１、球体３３、ロッド３４、フラッシュ側着脱部３２のそれぞれには互いに連通する孔が形成されており、その孔に配線３７が挿通される。配線３７の一方の端末３７ａはカメラ側着脱部３１の連結部３１ａに配置され、他方の端末３７ｂはフラッシュ側着脱部３２の連結部３２ａに配置される。配線３７は、カメラ１のシャッター操作に応じてカメラ１の電気回路に発生する発光トリガ信号をフラッシュ２の電気回路に送信する。
【００３３】
次に補助装置３の着脱操作について説明する。  
カメラ１及びフラッシュ２への補助装置３の装着は次の様にして行う。フラッシュ側着脱部３２の連結部３２ａをフラッシュ２の連結部に装着する。装着に応じて、配線３７の端末３７ｂはフラッシュ２の電気回路の端末に接続される。続いて、カメラ側着脱部３１の連結部３１ａをカメラ１の連結部に装着する。装着に応じて、配線３７の端末３７ａはカメラ１の電気回路の端末に接続される。以上の装着操作によって、カメラ１とフラッシュ２とが補助装置を介して機械的に接続され、また、カメラ１の電気回路とフラッシュ２の電気回路とが配線１７を介して電気的に接続される。
【００３４】
ここでは補助装置３をフラッシュ２に装着した後にカメラ１に装着する方法を説明したが、逆に補助装置３をカメラ１に装着した後にフラッシュ２に装着しても結果は同じである。
【００３５】
カメラ１及びフラッシュ２からの補助装置３の分離は次の様にして行う。カメラ側着脱部３１の連結部３１ａとカメラ１の連結部とを分離する。両者の分離に応じて、配線３７の端末３７ａとカメラ１の電気回路の端末は分離される。続いて、フラッシュ側着脱部３２の連結部３２ａとフラッシュ２の連結部とを分離する。両者の分離に応じて、配線３７の端末３７ｂとフラッシュ２の電気回路の端末は分離される。
【００３６】
ここでは補助装置３をカメラ１から分離した後にフラッシュ２から分離する方法を説明したが、逆に補助装置３をフラッシュ２から分離した後にカメラ１から分離しても結果は同じである。
【００３７】
次に補助装置３を用いたフラッシュ２の姿勢調整操作について説明する。  
ネジ３５が締められて球体３３が固定されている場合は、ネジ３５を緩めて球体３３の固定状態を解除する。そして、フラッシュ側着脱部３２に装着されたフラッシュ２を前後方向に所望の傾斜角度だけ揺動させる。または、フラッシュ側着脱部３２に装着されたフラッシュ２を所望の回動角度だけ回動させる。勿論、揺動、回動の一方のみでなく、揺動及び回動の両者を行ってもよい。こうしてフラッシュ２の姿勢を調整したならば、ネジ３５を締めて球体３３を固定する。以上の姿勢調整操作によって、カメラ１の撮影方向に対してフラッシュ２の照射方向を変化させることができる。
【００３８】
第１の実施形態によれば、次の様な効果を得られる。  
第１の実施形態では、補助装置３自体がバウンス機構に相当する。このため、フラッシュ２にバウンス機構を設ける必要がなくなり、フラッシュ２が高さ方向に大型化することもなくなる。フラッシュ２の持ち運びの際にはケースにフラッシュ２を収納し、ケースの空スペースに補助装置を収納すれば良い。結果として、バウンス機構を備えたフラッシュ２のケースと比較して、ケース自体の長さをコンパクトにできるので、フラッシュ２の持ち運びが楽になる。
【００３９】
また、補助装置を種々のフラッシュ２間で使い回せる。すると、個々のフラッシュ２にバウンス機構を設ける必要がなくなるので、フラッシュ２の製造コストを抑えることができる。
【００４０】
［実施例２］
図３（ａ）〜（ｃ）は第２の実施形態に係る補助装置の構造を説明するための模式図である。図３（ａ）は補助装置の正面図であり、図３（ｂ）は補助装置の側面図であり、図３（ｃ）は図３（ｂ）のＢ−Ｂ断面で補助装置を示す図である。
【００４１】
第２の実施形態に係る補助装置３は、カメラ１とフラッシュに対して着脱自在であり、カメラ１に対してフラッシュ２を前後左右方向に傾斜する様に揺動可能にし且つ回動可能にするものである。
【００４２】
補助装置３は、大きくは、カメラ１に対して着脱自在であるカメラ側着脱部４１と、フラッシュ２に対して着脱自在であるフラッシュ側着脱部４２と、カメラ側着脱部４１に対するフラッシュ側着脱部４２の姿勢を変える照明姿勢調節機構４１ｃ、４３、４４と、を備える。
【００４３】
カメラ側着脱部４１は補助装置３の下部に配置される。カメラ側着脱部４１の下部にはカメラ１との連結部４１ａが形成され、上部及び四方の側面には前後・左右方向に伸長する切欠き４１ｂが形成され、内部には切欠き４１ｂに連通する球状の空洞４１ｃが形成され、背面には２つのボス４１ｄ、４１ｄが形成される。切欠き４１ａはロッド４４が前後・左右方向に少なくとも９０°傾斜できるように形成されている。連結部４１ａが図示しないカメラ１の連結部に嵌合されるかまたは螺合されることによって、カメラ側着脱部４１がカメラ１に装着される。
【００４４】
フラッシュ側着脱部４２は補助装置３の上部に配置される。フラッシュ側着脱部４２の上部にはフラッシュ２との連結部４２ａが形成され、下部にはロッド４４の上端が接続される。連結部４２ａが図示しないフラッシュ２の連結部に嵌合されるかまたは螺合されることによって、フラッシュ側着脱部４２がフラッシュ２に装着される。フラッシュ側着脱部４２は、カメラ側着脱部４１を基準にして前後方向及び左右方向に傾斜するように揺動可能であり、またロッド４４の軸を中心にして回動可能である。
【００４５】
球体４３はカメラ側着脱部４１の空洞４１ｃの内部に配置される。球体４３の上部にはロッド４４の下端が接続される。球体４３は、フラッシュ側着脱部４２が前後方向へ揺動するに応じて空洞３１ｃの内部で前後方向に回動し、左右方向へ揺動するに応じて空洞３１ｃの内部で左右方向に回動する。また、球体４３は、フラッシュ側着脱部４２がロッド４４の軸を中心にして回動するに応じて空洞４１ｃの内部でフラッシュ側着脱部４２と同方向に回動する。
【００４６】
ロッド４４はカメラ側着脱部４１の切欠き４１ｂに挿通され、フラッシュ側着脱部４２と球体４３とを連結する。
【００４７】
ベルト４５は球体１３の前後左右を把持するように巻かれる。ベルト４５の両端部はカメラ側着脱部４１の２つのボス４１ｄ、４１ｄの間に配置される。その両端部にはネジ４６が螺入される孔が形成されており、各孔には相対する方向のねじ山が螺刻される。
【００４８】
ネジ４６は回動自在な状態でカメラ側着脱部４１の２つのボス４１ｄ、４１ｄに設けられる。またネジ４６はボス４１ｄ、４１ｄの間に配置されたベルト４６の両端部に螺入される。ネジ４６が一方向に回転されるに応じて、ベルト４５の両端が互いに近づき、ベルト４５が球体３３を締め付けて固定する。また、ネジ４６が他方向に回転されるに応じて、ベルト４５の両端が互いに離れ、ベルト４５が球体３３の締め付けを緩めて固定を解除する。
【００４９】
カメラ側着脱部４１、球体４３、ロッド４４、フラッシュ側着脱部４２のそれぞれには互いに連通する孔が形成されており、その孔に配線４７が挿通される。配線４７の一方の端末４７ａはカメラ側着脱部４１の連結部４１ａに配置され、他方の端末４７ｂはフラッシュ側着脱部４２の連結部４２ａに配置される。配線４７は、カメラ１のシャッター操作に応じてカメラ１の電気回路に発生する発光トリガ信号をフラッシュ２の電気回路に送信する。
【００５０】
補助装置３の着脱操作は第１の実施形態と同じなので説明を省略する。
【００５１】
次に補助装置３を用いたフラッシュ２の姿勢調整操作について説明する。  
ベルト４５が締められて球体４３が固定されている場合は、ネジ４６を固定解除方向に回転させてベルト４５の締め付けを緩めて球体４３の固定状態を解除する。そして、フラッシュ側着脱部４２に装着されたフラッシュ２を前後方向に所望の傾斜角度だけ揺動させる。または、フラッシュ側着脱部４２に装着されたフラッシュ２を左右方向に所望の傾斜角度だけ揺動させる。または、フラッシュ側着脱部４２に装着されたフラッシュ２を所望の回動角度だけ回動させる。勿論、揺動、回動の一方のみでなく、揺動及び回動の両者を行ってもよい。こうしてフラッシュ２の姿勢を調整したならば、ネジ４６を固定方向に回転させてベルト４５を締め付けて球体４３を固定する。以上の姿勢調整操作によって、カメラ１の撮影方向に対してフラッシュ２の照射方向を変化させることができる。
【００５２】
第２の実施形態によれば、第１の実施形態と同様に、フラッシュ２の持ち運びが楽になりまたフラッシュ２の製造コストを抑えることができる、という効果を得られる。
【００５３】
さらに、第２の実施形態によれば、フラッシュ２を左右方向に傾けることができる。このことによって以下のような効果が得られる。
【００５４】
被写体を特定の方向から接写するとき、フラッシュ２を左右方向に傾ける場合と傾けない場合とでは影の方向が異なる。つまり、フラッシュ２を左右方向に傾けることができると、ライティングの手法が増えることになる。
【００５５】
また、カメラ１を特定位置に配置して撮影したいにも関わらず、その位置の上部に障害物があるとフラッシュ２が障害物と接触してカメラ１をうまく配置できない。こうした場合にフラッシュ２を左右方向に傾ければ、フラッシュ２と障害物との接触を避けることができ、カメラ１を特定位置に配置することが可能となる。
【００５６】
［実施例３］
図４（ａ）〜（ｃ）は第３の実施形態に係る補助装置の構造を説明するための模式図である。図４（ａ）は補助装置の正面図であり、図４（ｂ）は図４（ａ）のＣ−Ｃ断面で補助装置を示す図であり、図４（ｃ）は図４（ｂ）のＤ−Ｄ断面で補助装置を示す図である。
【００５７】
第３の実施形態に係る補助装置３は、カメラ１とフラッシュに対して着脱自在であり、カメラ１に対してフラッシュ２を前後方向に傾斜する様に揺動可能にし且つ回動可能にするものである。さらに、予め複数の傾斜姿勢が設定されており、何れかの傾斜姿勢でフラッシュ２を保持するものである。
【００５８】
補助装置３は、大きくは、カメラ１に対して着脱自在であるカメラ側着脱部５１と、フラッシュ２に対して着脱自在であるフラッシュ側着脱部５２と、カメラ側着脱部５１に対するフラッシュ側着脱部５２の姿勢を変える照明姿勢調節機構５１ｃ、５３、５４と、を備える。
【００５９】
カメラ側着脱部５１は補助装置３の下部に配置される。カメラ側着脱部５１の下部にはカメラ１との連結部５１ａが形成され、上部には前後方向に伸長する切欠き５１ｂが形成され、内部には切欠き５１ｂに連通する球状の空洞５１ｃが形成される。連結部５１ａが図示しないカメラ１の連結部に嵌合されるかまたは螺合されることによって、カメラ側着脱部５１がカメラ１に装着される。また、空洞５１ｃの内壁面には、後述する球体５３の回動方向に沿って複数の凹部５１ｄが形成される。各凹部５１ｄの底部にはバネ５８が設けられ、バネ５８の上にはボール５９が設けられる。ボール５９に対してバネ５８方向への力が作用すると、ボール５９はバネ５８を縮めて凹部５１ｄの内部に収まる。
【００６０】
フラッシュ側着脱部５２は補助装置３の上部に配置される。フラッシュ側着脱部５２の上部にはフラッシュ２との連結部５２ａが形成され、下部にはロッド５４の上端が接続される。連結部５２ａが図示しないフラッシュ２の連結部に嵌合されるかまたは螺合されることによって、フラッシュ側着脱部５２がフラッシュ２に装着される。フラッシュ側着脱部５２は、カメラ側着脱部５１を基準にして前後方向に傾斜するように揺動可能である。
【００６１】
球体５３はカメラ側着脱部５１の空洞５１ｃの内部に配置される。球体５３の上部にはロッド５４の下端が接続される。球体５３には貫通する孔が形成され、その孔にネジ５５が挿通される。球体５３の外周面には回動方向に沿って複数の凹部５３ａが形成される。球体５３は、フラッシュ側着脱部５２が前後方向へ揺動するに応じて空洞５１ｃの内部で前後方向に回動する。
【００６２】
ロッド５４はカメラ側着脱部５１の切欠き５１ｂに挿通され、フラッシュ側着脱部５２と球体５３とを連結する。
【００６３】
ネジ５５はカメラ側着脱部５１の側面の孔から挿通され、カメラ側着脱部５１及び球体５３を貫通する。ネジ５５のネジ先にはボルト５６がはめられる。ネジ５５は球体５３の回動軸である。
【００６４】
カメラ側着脱部５１、球体５３、ロッド５４、フラッシュ側着脱部５２のそれぞれには互いに連通する孔が形成されており、その孔に配線５７が挿通される。配線５７の一方の端末５７ａはカメラ側着脱部５１の連結部５１ａに配置され、他方の端末５７ｂはフラッシュ側着脱部５２の連結部５２ａに配置される。配線５７は、カメラ１のシャッター操作に応じてカメラ１の電気回路に発生する発光トリガ信号をフラッシュ２の電気回路に送信する。
【００６５】
補助装置３の着脱操作は第１の実施形態と同じなので説明を省略する。
【００６６】
次に補助装置３を用いたフラッシュ２の姿勢調整操作について説明する。  
カメラ側着脱部５１の凹部５１ｄに設けられるバネ５８、ボール５９と球体５３の凹部５３ａは位置決め機構、所謂ディテント機構を形成する。バネ５８によってボール５９には外側に押圧力が加えられており、ボール５９が球体５３の凹部５３ａに嵌まると球体５３は一定の固定力を受ける。但し、球体５３にある程度の回動力が作用すると、ボール５９が球体５３の外周面によって凹部５１ｄの内部に押し込まれるので、球体５３は回動可能となる。
【００６７】
フラッシュ側着脱部４２に装着されたフラッシュ２を前後方向にある程度の力を加えれば、ディテント機構による球体５３の固定が解除され、フラッシュ２を揺動させることができる。そして、ボール５９が球体５３の凹部５３ａに嵌まる何れかの姿勢でフラッシュ２の揺動を停止させればよい。以上の姿勢調整操作によって、カメラ１の撮影方向に対してフラッシュ２の照射方向を変化させることができる。
【００６８】
第３の実施形態によれば、第１の実施形態と同様に、フラッシュ２の持ち運びが楽になりまたフラッシュ２の製造コストを抑えることができる、という効果を得られる。
【００６９】
さらに、第３の実施形態によれば、ディテント機構によってフラッシュ２を特定の傾斜姿勢で保持することができる。
【００７０】
なお、第３の実施形態では、球体５３の代わりに円柱体を使用し、円柱体の中心にネジ５５が挿通される構造にしても良い。
【００７１】
また、第３の実施形態では、球体５３の回動軸をネジ５５とし、その回動軸を中心にしてディテント機構を形成してフラッシュ２を前後方向の特定の傾斜姿勢で保持するようにしたが、球体５３の回動軸をロッド５４とし、その回動軸を中心にしてディテント機構を形成してフラッシュ２を水平方向の特定の回動姿勢で保持するようにすることも可能である。
【００７２】
また、各実施形態の構成を適宜組み合わせ又は交換することも可能である。
【符号の説明】
【００７３】
１…カメラ、
２…フラッシュ、
３…補助装置、
３１、４１、５１…カメラ側着脱部、
３１ａ、４１ａ、５１ａ…空洞部、
３２、４２、５３…フラッシュ側着脱部、
３３、４３、５３…球体、
３４、４４、５４…ロッド。
【図１】
2011228045.tif 000003
【図２】
2011228045.tif 000004
【図３】
2011228045.tif 000005
【図４】
2011228045.tif 000006